(57)【要約】【課題】コネクタ同士の嵌合・離脱を繰り返してもクリック感の低下を抑えることができるコネクタ装置を提供する。【解決手段】レセプタクルコネクタ３のレセプタクルコンタクト５に、レセプタクルコネクタ３とプラグコネクタ７とが嵌合したときにプラグコネクタ７のプラグコンタクト９の接触部９２を受け容れるばね部５２を設けた。プラグコンタクト９の接触部９２に突起９２１を設けた。ばね部５２に、両コネクタ３，７が嵌合するときに突起９２１に押圧される補助接触部５２１を設けた。両コネクタ３，７が嵌合したときに突起９２１を受け容れる凹部５２２を補助接触部５２１に隣接させてばね部５２に設けた。【選択図】図７
2010257602.tif 000002
【特許請求の範囲】
【請求項１】
第１接続対象物に実装される第１コネクタと、この第１コネクタに嵌合可能であり、第２接続対象物に実装される第２コネクタとで構成されるコネクタ装置において、
前記第１コネクタが、第１コンタクトと、この第１コンタクトを保持する第１ハウジングとを備え、
前記第２コネクタが、第２コンタクトと、この第２コンタクトを保持する第２ハウジングとを備え、
前記第２コンタクトが、前記第２ハウジングに保持される第２保持部と、この第２保持部に連なる第２接触部とを有し、
前記第１コンタクトが、前記第１ハウジングに保持される第１保持部と、この第１保持部に連なり、前記コネクタ同士を嵌合したときに前記第２接触部を受け容れる第１ばね部と、この第１ばね部に連なり、前記コネクタ同士を嵌合したときに前記第２接触部に接触する第１接触部とを有し、
前記第２コネクタは、前記コネクタ同士の嵌合開始時に前記第１ばね部をその復帰力に抗して押圧し、前記第１ばね部を前記第１接続対象物側へ押し込む押圧部を有し、
前記第１ばね部は、前記コネクタ同士の嵌合開始時に前記押圧部に押圧される被押圧部と、前記コネクタ同士の嵌合完了までに前記押圧部を受け容れて前記第１ばね部に対する前記押圧部の押圧状態を解除する押圧部受容部と、この押圧部受容部と前記第１接触部とを連結する連結部とを有し、
前記押圧部により前記被押圧部が押圧された時、前記連結部の少なくとも一部が前記第１接続対象物に当接し、前記押圧部の前記押圧状態が解除された時には、前記第１ばね部が移動して前記第１接続対象物と前記連結部の少なくとも一部との前記当接が解除される
ことを特徴とするコネクタ装置。
【請求項２】
前記押圧部受容部の前記第１接続対象物に最も近い部分から前記第１接続対象物までの距離は、前記連結部の前記第１接続対象物に最も近い部分から前記第１接続対象物までの距離よりも大きい
ことを特徴とする請求項１記載のコネクタ装置。
【請求項３】
前記第１ばね部がほぼ円弧状であることを特徴とする請求項１又は２記載のコネクタ装置。
【請求項４】
前記第２コンタクトが、前記コネクタ同士の嵌合完了時に前記被押圧部に接触する延長接触部を有する
ことを特徴とする請求項１〜３のいずれか１項記載のコネクタ装置。
【請求項５】
前記第１ハウジングが、前記第１ばね部を収容し、前記第１ばね部に対する前記押圧部の前記押圧状態が解除されたとき、前記第１ばね部の復帰動作を許容して前記第１ばね部を前記第１接続対象物から遠ざける収容部を有し、前記収容部が、前記コネクタ同士の嵌合・離脱方向へ貫通している
ことを特徴とする請求項１〜４のいずれか１項記載のコネクタ装置。
【請求項６】
前記押圧部が、前記第２接触部に一体に形成されている
ことを特徴とする請求項１〜５のいずれか１項記載のコネクタ装置。
【請求項７】
前記押圧部が、前記第２ハウジングに一体に形成されている
ことを特徴とする請求項１〜５のいずれか１項記載のコネクタ装置。
【請求項８】
前記押圧部が、前記第２ハウジングに設けられた金属部材である
ことを特徴とする請求項１〜５のいずれか１項記載のコネクタ装置。
【請求項９】
前記押圧部が突起であり、前記押圧部受容部が弓状である
ことを特徴とする請求項１〜８のいずれか１項記載のコネクタ装置。
【発明の詳細な説明】
【技術分野】
【０００１】
この発明はコネクタ装置に関し、特にコネクタ同士を嵌合したときにクリック感を得ることができるコネクタ装置に関する。
【背景技術】
【０００２】
従来、コネクタ同士（ソケットとヘッダ）を嵌合したときにクリック感を得ることができるコネクタ装置が知られている（下記特許文献参照）。
【０００３】
このコネクタ装置は一方のコネクタであるソケットとこのソケットに嵌合可能な他方のコネクタであるヘッダとを備えている。
【０００４】
ソケットに保持されたコンタクトには係合段部が設けられ、ヘッダに保持されたコンタクトには前記係合段部に対応する係合突部が設けられている。
【０００５】
ソケットとヘッダとを嵌合したとき、係合段部と係合突部とが係合するので、クリック感が生じる。
【先行技術文献】
【特許文献】
【０００６】
【特許文献１】特開２００５−２０３１３９号公報
【発明の概要】
【発明が解決しようとする課題】
【０００７】
係合段部を有するソケット側のコンタクトと係合突部を有するヘッダ側のコンタクトとはいずれも金属で形成されており、ソケットとヘッダとの嵌合・離脱を繰り返すと、係合段部と係合突部とが摩耗し、クリック感が悪く（弱く）なる。
【０００８】
この発明はこのような事情に鑑みてなされたもので、その課題はコネクタ同士の嵌合・離脱を繰り返してもクリック感の低下を抑えることができるコネクタ装置を提供することである。
【課題を解決するための手段】
【０００９】
前述の課題を解決するため請求項１の発明は、第１接続対象物に実装される第１コネクタと、この第１コネクタに嵌合可能であり、第２接続対象物に実装される第２コネクタとで構成されるコネクタ装置において、前記第１コネクタが、第１コンタクトと、この第１コンタクトを保持する第１ハウジングとを備え、前記第２コネクタが、第２コンタクトと、この第２コンタクトを保持する第２ハウジングとを備え、前記第２コンタクトが、前記第２ハウジングに保持される第２保持部と、この第２保持部に連なる第２接触部とを有し、前記第１コンタクトが、前記第１ハウジングに保持される第１保持部と、この第１保持部に連なり、前記コネクタ同士を嵌合したときに前記第２接触部を受け容れる第１ばね部と、この第１ばね部に連なり、前記コネクタ同士を嵌合したときに前記第２接触部に接触する第１接触部とを有し、前記第２コネクタは、前記コネクタ同士の嵌合開始時に前記第１ばね部をその復帰力に抗して押圧し、前記第１ばね部を前記第１接続対象物側へ押し込む押圧部を有し、前記第１ばね部は、前記コネクタ同士の嵌合開始時に前記押圧部に押圧される被押圧部と、前記コネクタ同士の嵌合完了までに前記押圧部を受け容れて前記第１ばね部に対する前記押圧部の押圧状態を解除する押圧部受容部と、この押圧部受容部と前記第１接触部とを連結する連結部とを有し、前記押圧部により前記被押圧部が押圧された時、前記連結部の少なくとも一部が前記第１接続対象物に当接し、前記押圧部の前記押圧状態が解除された時には、前記第１ばね部が移動して前記第１接続対象物と前記連結部の少なくとも一部との前記当接が解除されることを特徴とする。
【００１０】
上述のように第１コネクタの第１ばね部の押圧部受容部が第２コネクタの押圧部を受け容れて第１ばね部の被押圧部に対する押圧部の押圧状態を解除した時、連結部と第１接続対象物との当接が解除され、第１ばね部を第１接続対象物から遠ざけるので、第１ばね部が復帰動作するときにクリック感が生じる。
【００１１】
請求項２の発明は、請求項１記載のコネクタ装置において、前記押圧部受容部の前記第１接続対象物に最も近い部分から前記第１接続対象物までの距離は、前記連結部の前記第１接続対象物に最も近い部分から前記第１接続対象物までの距離よりも大きいことを特徴とする。
【００１２】
請求項３の発明は、請求項１又は２記載のコネクタ装置において、前記第１ばね部がほぼ円弧状であることを特徴とする。
【００１３】
請求項４の発明は、請求項１〜３のいずれか１項記載のコネクタ装置において、前記第２コンタクトが、前記コネクタ同士の嵌合完了時に前記被押圧部に接触する延長接触部を有することを特徴とする。
【００１４】
請求項５の発明は、請求項１〜４のいずれか１項記載のコネクタ装置において、前記第１ハウジングが、前記第１ばね部を収容し、前記第１ばね部に対する前記押圧部の前記押圧状態が解除されたとき、前記第１ばね部の復帰動作を許容して前記第１ばね部を前記第１接続対象物から遠ざける収容部を有し、前記収容部が、前記コネクタ同士の嵌合・離脱方向へ貫通していることを特徴とする。
【００１５】
請求項６の発明は、請求項１〜５のいずれか１項記載のコネクタ装置において、前記押圧部が、前記第２接触部に一体に形成されていることを特徴とする。
【００１６】
請求項７の発明は、請求項１〜５のいずれか１項記載のコネクタ装置において、前記押圧部が、前記第２ハウジングに一体に形成されていることを特徴とする。
【００１７】
請求項８の発明は、請求項１〜５のいずれか１項記載のコネクタ装置において、前記押圧部が、前記第２ハウジングに設けられた金属部材であることを特徴とする。
【００１８】
請求項９の発明は、請求項１〜８のいずれか１項記載のコネクタ装置において、前記押圧部が突起6であり、前記押圧部受容部が弓状であることを特徴とする。
【発明の効果】
【００１９】
この発明によれば、コネクタ同士の嵌合・離脱を繰り返してもクリック感の低下を抑えることができる。
【図面の簡単な説明】
【００２０】
【図１】図１はこの発明の第１実施形態のコネクタ装置のレセプタクルコネクタとプラグコネクタとが分離している状態を示す斜視図である。
【図２】図２は図１に示すコネクタ装置のレセプタクルコネクタの斜視図である。
【図３】図３は図２に示すレセプタクルコネクタのレセプタクルコンタクトの斜視図である。
【図４】図４は図３に示すレセプタクルコンタクトの側面図である。
【図５】図５は図１に示すコネクタ装置のプラグコネクタを裏返した状態を示す斜視図である。
【図６】図６は図１に示すコネクタ装置のレセプタクルコネクタとプラグコネクタとが分離している状態を示す断面図である。
【図７】図７は図１に示すコネクタ装置のレセプタクルコネクタとプラグコネクタとが嵌合した状態を示す断面図である。
【図８】図８は図７のＡ部の拡大図である。
【図９】図９は図１に示すコネクタ装置のレセプタクルコネクタとプラグコネクタとが嵌合している状態を示す斜視図である。
【図１０】図１０はこの発明の第２実施形態のコネクタ装置のレセプタクルコネクタとプラグコネクタとが分離している状態を示す断面図である。
【図１１】図１１は図１０に示すコネクタ装置のレセプタクルコネクタとプラグコネクタとが嵌合している状態を示す断面図である。
【図１２】図１２は図１０に示すコネクタ装置のレセプタクルコネクタのレセプタクルコンタクトの斜視図である。
【図１３】図１３は図１２に示すレセプタクルコンタクトの側面図である。
【図１４】図１４はこの発明の第３実施形態のコネクタ装置のレセプタクルコネクタとプラグコネクタとが分離している状態を示す断面図である。
【図１５】図１５は図１４に示すコネクタ装置のレセプタクルコネクタとプラグコネクタとが嵌合している状態を示す断面図である。
【図１６】図１６はこの発明の第４実施形態のコネクタ装置のレセプタクルコネクタとプラグコネクタとが分離している状態を示す断面図である。
【図１７】図１７は図１６に示すコネクタ装置のレセプタクルコネクタとプラグコネクタとが嵌合している状態を示す断面図である。
【発明を実施するための形態】
【００２１】
以下、この発明の実施の形態を図面に基づいて説明する。
【００２２】
図１に示すように、コネクタ装置１はレセプタクルコネクタ３とプラグコネクタ７とを備える。
【００２３】
図１、図２に示すように、レセプタクルコネクタ３はレセプタクルハウジング４とレセプタクルコンタクト５とを有する。レセプタクルコネクタ３はプリント基板（第１接続対象物）２１（図７参照）に実装される。
【００２４】
レセプタクルハウジング４はほぼトレイ状であり、底板部４１と壁部４２ａ，４２ｂ，４２ｃ，４２ｄと嵌合凸部４４とを有する。レセプタクルハウジング４は例えば合成樹脂で一体成形されている。
【００２５】
底板部４１はほぼ矩形である。底板部４１には複数の孔４１１が２列に等間隔に形成されている。孔４１１は矩形である。
【００２６】
壁部４２ａ，４２ｂ，４２ｃ，４２ｄは底板部４１の四辺に沿って一連に形成されている。互いに平行な壁部４２ａ，４２ｃには複数の溝４２１が等間隔に形成されている。プラグコネクタ７のレセプタクルコネクタ３に対する嵌合・離脱方向Ｄに沿って溝４２１は延び、孔４１１に通じている。
【００２７】
嵌合凸部４４はほぼ直方体状であり、底板部４１の中央部に形成されている。嵌合凸部４４の壁部４２ａ，４２ｃと対向する２つの面にはそれぞれ複数の溝４４１が等間隔に形成されている。溝４４１は孔４１１に通じている。
【００２８】
嵌合凸部４４は壁部４２ａ，４２ｂ，４２ｃ，４２ｄで囲まれており、嵌合凸部４４と壁部４２ａ，４２ｂ，４２ｃ，４２ｄとの間にはプラグハウジング８が挿入される空間４７が存在する。特許請求の範囲の請求項５の収容部はこの実施形態では空間４７（特に嵌合凸部４４と壁部４２ａ，４２ｃとの間の空間）と溝４４１と孔４１１とで構成される。この収容部はレセプタクルハウジング４に形成される空間部であり、ばね部５２を収容し、ばね部５２に対する後述のプラグコンタクト９の突起９２１の押圧状態が解除されたとき、ばね部５２の復帰動作を許容してばね部５２をプリント基板２１（図７参照）から遠ざける空間部である。したがって、収容部の構成要素は空間４７と溝４４１と孔４１１とに限定されない。
【００２９】
図３、図４に示すように、レセプタクルコンタクト５は保持部（第１保持部）５１とばね部（第１ばね部）５２と接触部（第１接触部）５３と連結部５４と端子部５５とを有する。レセプタクルコンタクト５は導電性及び弾性を有する金属板に打抜き加工及び曲げ加工を施すことによって形成されている。
【００３０】
保持部５１は圧入突起部５１１を有する。圧入突起部５１１はレセプタクルハウジング４の溝４２１に圧入される。これにより、保持部５１はレセプタクルハウジング４に保持される。
【００３１】
ばね部５２はほぼ円弧状であり、連結部５４を介して保持部５１に連なっている。ばね部５２は、補助接触部（被押圧部）５２１と、補助接触部５２１に嵌合・離脱方向Ｄで隣接配置された凹部（押圧部受容部）５２２と、連結部５２３とを有する。補助接触部５２１は嵌合開始時に後述するプラグコネクタ７のプラグコンタクト９の突起９２１に押圧される。凹部５２２は弓状であり、レセプタクルコネクタ３とプラグコネクタ７とが嵌合したとき、突起９２１を受け容れる。連結部５２３は凹部５２２と接触部５３とを連結する。ばね部５２の一部は、レセプタクルコネクタ３とプラグコネクタ７とが嵌合したとき、レセプタクルハウジング４の底板部４１の孔４１１（図７参照）を通じてレセプタクルハウジング４の底面から突出し得る。
【００３２】
接触部５３はばね部５２に連なっている。接触部５３はレセプタクルハウジング４の嵌合凸部４４の溝４４１に嵌合・離脱方向Ｄへ移動可能に収容されている。連結部５４は保持部５１とばね部５２とを連結している。端子部５５は保持部５１に連なっている。端子部５５はプリント基板２１（図７参照）に半田付けされる。
【００３３】
図１、図５に示すように、プラグコネクタ７はプラグハウジング８とプラグコンタクト９とを有する。プラグコネクタ７はプリント基板（第２接続対象物）２２（図７参照）に実装される。
【００３４】
プラグハウジング８はほぼトレイ状であり、底板部８１と壁部８２ａ，８２ｂ，８２ｃ，８２ｄとを有する。プラグハウジング８は例えば合成樹脂で一体成形されている。
【００３５】
底板部８１はほぼ矩形である。壁部８２ａ，８２ｂ，８２ｃ，８２ｄは底板部８１の四辺に沿って一連に形成されている。
【００３６】
図５、図６、図７に示すように、プラグコンタクト９は保持部（第２保持部）９１と接触部（第２接触部）９２と端子部９３とを有する。プラグコンタクト９は導電性及び弾性を有する金属板に打抜き加工及び曲げ加工を施すことによって形成されている。プラグコンタクト９の一部がいわゆるモールドイン成型法によってプラグハウジング８に埋め込まれている。
【００３７】
保持部９１はプラグハウジング８に保持されている。
【００３８】
接触部９２は保持部９１に連なる。接触部９２はほぼＪ字形であり、壁部８２ａ，８２ｃの内面から外面に巻き付いている。接触部９２は突起（押圧部）９２１と突起９２１に隣接する延長接触部９２２とを有する。突起９２１は突起状であり、壁部８２ａ，８２ｃの外面に位置している。延長接触部９２２は嵌合・離脱方向Ｄへ延び、プラグハウジング８の壁部８２ａ，８２ｃの外面に位置する。延長接触部９２２はレセプタクルコネクタ３とプラグコネクタ７との嵌合完了時、補助接触部５２１に接触する。
【００３９】
端子部９３は保持部９１に連なっている。端子部９３はプリント基板２２（図７参照）に半田付けされる。
【００４０】
レセプタクルコネクタ３とプラグコネクタ７との嵌合開始時、プラグコンタクト９の押圧部９２１がレセプタクルコンタクト５の補助接触部５２１に接触して補助接触部５２１を押圧する。
【００４１】
補助接触部５２１が押圧部９２１に押圧されると、ばね部５２が弾性変形して下方へ移動し、連結部５２３の少なくとも一部がプリント基板２１に当たる。連結部５２３の少なくとも一部がプリント基板２１に当接するとばね部５２のバネが硬くなる。
【００４２】
その後、プラグコンタクト９の押圧部９２１がレセプタクルコンタクト５の補助接触部５２１を乗り越えて凹部５２２に受容されると、押圧部９２１と補助接触部５２１との押圧状態が解除され、ばね部５２はその復帰力によって上方へ移動する。このとき、プリント基板２１に当接していたばね部５２が上方へ移動して、連結部５２３とプリント基板２１との当接が解除される。作業者は、押圧部９２１が補助接触部５２１を乗り越えたときにバネが硬くなっているためクリック感を感じるとともに、押圧部９２１と補助接触部５２１との押圧状態が解除されてばね部５２が上方へ移動したときにもクリック感を感じる。
【００４３】
この実施形態によれば、クリック感が押圧部９２１と補助接触部５２１との押圧状態が解除されたときに生じるだけでなく、両コネクタ３，７の嵌合完了時にばね部５２がその復帰力によって上方へ移動したとき（プリント基板２１に当接していたばね部５２が上方へ移動して、連結部５２３とプリント基板２１との当接が解除されたとき）にも生じるので、たとえ押圧部９２１と補助接触部５２１とが摩耗したとしても押圧部９２１が補助接触部５２１を押圧できる限りクリック感を感じることができる。したがって、両コネクタ３，７の嵌合・離脱の繰返しによるクリック感の低下は抑制される。
【００４４】
図１０、図１１、図１２、図１３に基づいて第２実施形態のコネクタ装置２０１を説明する。
【００４５】
第１実施形態と共通する部分については同一符号を付してその説明を省略する。以下、第１実施形態との主な相違部分についてだけ説明する。
【００４６】
第１実施形態では、図７に示すように、凹部５２２のプリント基板２１に最も近い部分５２２ａからプリント基板２１までの距離と、連結部５２３のプリント基板２１に最も近い部分５２３ａからプリント基板２１までの距離とは、ほぼ等しい。
【００４７】
これに対し、第２実施形態では、図１０、図１１に示すように、凹部５２２のプリント基板２１に最も近い部分５２２ａ´からプリント基板２１までの距離は、連結部５２３のプリント基板２１に最も近い部分５２３ａ´からプリント基板２１までの距離よりも大きい。
【００４８】
第１実施形態では、レセプタクルコンタクト５の部分５２２ａから部分５２３ａまでの直線部分がプリント基板２１の実装面とほぼ平行であるのに対し、第２実施形態では、レセプタクルコンタクト２０５の部分５２２ａ´から部分５２３ａ´までの直線部分がプリント基板２１の実装面に対して傾いている。
【００４９】
第２実施形態によれば、プリント基板２１との当接箇所（部分５２３ａ´の箇所で当接）が第１実施形態に比べて、より明確になるので、押圧部９２１と補助接触部５２１との押圧状態が解除されたときのクリック感がより明確になる。
【００５０】
図１４、図１５に基づいて第３実施形態のコネクタ装置３０１を説明する。
【００５１】
第１実施形態と共通する部分については同一符号を付してその説明を省略する。以下、第１実施形態との主な相違部分についてだけ説明する。なお、第３実施形態のコネクタ装置３０１のレセプタクルコネクタ２０３は第２実施形態のコネクタ装置２０１のレセプタクルコネクタ２０３と同じである。
【００５２】
第１実施形態では、プラグコンタクト９の接触部９２は壁部８２ａ，８２ｃの内面から外面にまで延び、接触部９２は突起９２１を有するが、第３実施形態では、プラグコンタクト３０９の接触部３９２はプラグハウジング３０８の壁部３８２ａ，３８２ｃの外面まで延びていない。接触部３９２は押圧部及び延長接触部を有していない。その代わりに、プラグハウジング３０８の壁部３８２ａ，３８２ｃの外面に押圧部として突起１１ａを有する金属部材１１が固定されている。金属部材１１の突起１１ａの機能は第１，２実施形態のプラグコンタクト９の突起９２１の機能と同じである。
【００５３】
第３実施形態によれば、第１、２実施形態と同様の作用効果を奏する。
【００５４】
図１６、図１７に基づいて第４実施形態のコネクタ装置４０１を説明する。
【００５５】
第１実施形態と共通する部分については同一符号を付してその説明を省略する。以下、第１実施形態との主な相違部分についてだけ説明する。なお、第４実施形態のコネクタ装置４０１のレセプタクルコネクタ２０３は第２実施形態のコネクタ装置２０１のレセプタクルコネクタ２０３と同じである。
【００５６】
第１実施形態では、プラグコンタクト９の接触部９２は壁部８２ａ，８２ｃの内面から外面にまで延び、接触部９２は突起９２１を有するが、第４実施形態では、第３実施形態と同様に、プラグコンタクト４０９の接触部４９２はプラグハウジング４０８の壁部４８２ａ，４８２ｃの外面まで延びていない。接触部４９２は押圧部及び延長接触部を有していない。その代わりに、プラグハウジング３０８の壁部３８２ａ，３８２ｃの外面に押圧部として突起４８２ｄ，４８２ｅが形成されている。突起４８２ｄ，４８２ｅの機能は第１、第３実施形態のプラグコンタクト９の突起９２１，１１ａの機能と同じである。
【００５７】
第４実施形態によれば、第１、２実施形態と同様の作用効果を奏する。
【００５８】
なお、上述の実施形態では、ばね部５２，２５２はほぼ円弧状に形成されているが、ばね部５２，２５２は必ずしも円弧状に限られない。
【００５９】
また、上述の実施形態では、押圧部が突起９２１，４８２ｄ，４８２ｅ，１１ａであるが、押圧部の形状は，例えば、半球状、楔状等でもよい。
【００６０】
なお、上述の実施形態では、凹部５２２は弓状であるが、凹部５２２の形状は弓状に限られず、例えば、Ｌ字形、Ｕ字形等でもよい。
【００６１】
また、上述の実施形態では、レセプタクルコネクタ３，２０３のレセプタクルハウジング４には孔４１１が形成され、結果的にばね部５２，２５２を収容する収容部が、低背化を実現できるように、空間４７と溝４４１と孔４１１とで構成される貫通孔になっているが、収容部が貫通孔である必要はない。例えばレセプタクルハウジングの底板部に孔が形成されていなくとも、即ち、ばね部５２，２５２が押圧されたときに収容部の底部に連結部５２３の少なくとも一部が当接すれば良く、ばね部５２，２５２に対する突起９２１，４８２ｄ，４８２ｅの押圧状態が解除されたとき、ばね部５２，２５２の復帰動作を許容してばね部５２，２５２をプリント基板２１から遠ざけることができる空間部がレセプタクルハウジングに収容部として存在すればよい。
【符号の説明】
【００６２】
１，２０１，３０１，４０１  コネクタ装置
３，２０３  レセプタクルコネクタ（第１コネクタ）
４  レセプタクルハウジング（第１ハウジング）
４７  空間
４１１  孔
４４１  溝
５  レセプタクルコンタクト（第１コンタクト）
５１  保持部（第１保持部）
５２，２５２  ばね部（第１ばね部）
５２１  補助接触部（被押圧部）
５２２  凹部（押圧部受容部）
５２３  連結部
５３  接触部（第１接触部）
７，３０７，４０７  プラグコネクタ（第２コネクタ）
８，３０８，４０８  プラグハウジング（第２ハウジング）
９  プラグコンタクト（第２コンタクト）
９１  保持部（第２保持部）
９２  接触部（第２接触部）
９２１，４８２ｄ，４８２ｅ  突起（押圧部）
１１  金属部材
１１ａ  突起（押圧部）
Ｄ  嵌合・離脱方向
【図１】
2010257602.tif 000003
【図２】
2010257602.tif 000004
【図３】
2010257602.tif 000005
【図４】
2010257602.tif 000006
【図５】
2010257602.tif 000007
【図６】
2010257602.tif 000008
【図７】
2010257602.tif 000009
【図８】
2010257602.tif 000010
【図９】
2010257602.tif 000011
【図１０】
2010257602.tif 000012
【図１１】
2010257602.tif 000013
【図１２】
2010257602.tif 000014
【図１３】
2010257602.tif 000015
【図１４】
2010257602.tif 000016
【図１５】
2010257602.tif 000017
【図１６】
2010257602.tif 000018
【図１７】
2010257602.tif 000019